(57)【特許請求の範囲】
【請求項１】
耳朶を穿孔するためのピアス針と、該ピアス針を内装する本体と、ピアス針を射出するための射出軸と、該射出軸を射出するため付勢する射出弾機と、射出軸を発射前姿勢に係止するための係止手段と、本体に移動自在に嵌合する可動体と、該可動体に設けられ、射出されたピアス針を受け止めるためのキャッチャを保持するためのキャッチャ保持部とを備え、キャッチャ保持部を本体に近づけるべく可動体を本体に対して相対移動することで係止手段の係止を解除して射出軸の射出をするように構成するにあたり、
前記係止手段は、本体側に設けた貫通孔に一端部が貫通支持され、貫通先端が射出軸に係脱自在に係止する係止弾機とし、
該係止弾機の他端部は、前記本体側へ相対移動する可動体に係止して射出軸の係止解除をするべく弾性変形しながら貫通孔を移動するようにし、
可動体は、該弾性変形した係止弾機の復元力を受けてキャッチャ保持部が本体から遠ざかる方向に移動するようになっていることを特徴とするピアス用穿孔器。
【請求項２】
請求項１において、係止弾機は、射出軸の係止解除姿勢への移動をしても、貫通孔から抜け出ない設定になっていることを特徴とするピアス用穿孔器。
【請求項３】
請求項１または２において、係止弾機は、可動体が本体に対して相対移動する以前の射出前姿勢の状態で他端部が本体側に設けた台座に当接していることを特徴とするピアス用穿孔器。
【請求項４】
請求項１乃至３の何れかにおいて、可動体は、本体に設けたリブに案内されて移動することを特徴とするピアス用穿孔器。
【請求項５】
請求項４において、前記リブは、台座に設けられていることを特徴とするピアス用穿孔器。
【請求項６】
請求項１乃至５の何れかにおいて、本体と可動体とのあいだには、係止弾機が所定の発射後姿勢になった以上の可動体の本体に対する相対移動を規制するストッパが設けられていることを特徴とするピアス用穿孔器。
【請求項７】
請求項１乃至６において、係止弾機は、板バネで構成され、他端が貫通孔から直線状にセットされ、可動体の相対移動による弾性変形で湾曲する姿勢となって係止解除姿勢になるように構成されていることを特徴とするピアス用穿孔器。
【請求項８】
請求項１乃至７の何れかにおいて、貫通孔は、係止弾機を射出軸の移動方向前後から係止弾機他端部側に向けて長く挟持していることを特徴とするピアス用穿孔器。
【請求項９】
請求項８において、貫通孔の係止弾機他端部側に向く長い挟持は、貫通孔が、射出軸を案内支持する台座から係止弾機の他端部側に突出して形成されることで行われていることを特徴とするピアス用穿孔器。
【請求項１０】
請求項９において、貫通孔の射出軸移動方向前後の突出長さは、後側の方が長くなっていることを特徴とするピアス用穿孔器。
【発明の詳細な説明】
【技術分野】
【０００１】
本発明は、使い捨て用のピアス用穿孔器の技術分野に属するものである。
【背景技術】
【０００２】
一般に、この種ピアス用穿孔器のなかには、弾機の付勢力を利用してピアス針を瞬間的に射出し、耳朶にピアス針を貫通させて穿孔するようにしたものがある。
このようなものとして、弾機付勢力を受けて射出するように構成した射出軸を係止部材で係止して射出後の初期姿勢に保持し、可動体を移動することに連動して係止部材の係止解除をして射出軸を弾機付勢力を受けて移動させ、これによってピアス針を発射させて瞬間的に穿孔するようにしたものが知られている（例えば、特許文献１参照）。
【特許文献１】特開２００２−８５１２１号公報
【発明の開示】
【発明が解決しようとする課題】
【０００３】
ところでこのものは、前記係止部材が不用意に係止解除作動をしないようにする必要があり、そこで可動体に突設した支持部で係止部材を支持しておき、そして可動体の移動によって支持部を係止部材から外して無支持の状態にした前、さらに可動体を移動させると、可動体に棒状に設けた突起が係止部材を下側に強制移動させて前記係止解除をし、これによって射出軸の射出をするようにしている。
しかるにこのものでは、支持部による係止部材の支持がなくなって不安定になった時点から係止部材を強制移動させるまでのあいだに僅かではあるが時間差があり、このあいだに係止部材が係止解除されてピアス針が発射されると、ピアス針が充分に耳朶に近づいていない状態での発射となって思うところにピアス針が貫通せず、ずれた場所での穿孔がなされてしまうという問題がある。
さらにこのものでは、穿孔後、可動体を戻すため、別途戻し弾機が必要になって部品点数が多く、構造も複雑でコスト高になるうえ、特に使い捨てであることを考慮したとき、部品点数は一つでも少ない方が良いという社会的要請からの問題もあり、これらに本発明が解決しようとする課題がある。
【課題を解決するための手段】
【０００４】
本発明は、上記の如き実情に鑑みこれらの課題を解決することを目的として創作されたものであって、請求項１の発明は、耳朶を穿孔するためのピアス針と、該ピアス針を内装する本体と、ピアス針を射出するための射出軸と、該射出軸を射出するため付勢する射出弾機と、射出軸を発射前姿勢に係止するための係止手段と、本体に移動自在に嵌合する可動体と、該可動体に設けられ、射出されたピアス針を受け止めるためのキャッチャを保持するためのキャッチャ保持部とを備え、キャッチャ保持部を本体に近づけるべく可動体を本体に対して相対移動することで係止手段の係止を解除して射出軸の射出をするように構成するにあたり、前記係止手段は、本体側に設けた貫通孔に一端部が貫通支持され、貫通先端が射出軸に係脱自在に係止する係止弾機とし、該係止弾機の他端部は、前記本体側へ相対移動する可動体に係止して射出軸の係止解除をするべく弾性変形しながら貫通孔を移動するようにし、可動体は、該弾性変形した係止弾機の復元力を受けてキャッチャ保持部が本体から遠ざかる方向に移動するようになっていることを特徴とするピアス用穿孔器である。
請求項２の発明は、請求項１において、係止弾機は、射出軸の係止解除姿勢への移動をしても、貫通孔から抜け出ない設定になっていることを特徴とするピアス用穿孔器である。
請求項３の発明は、請求項１または２において、係止弾機は、可動体が本体に対して相対移動する以前の射出前姿勢の状態で他端部が本体側に設けた台座に当接していることを特徴とするピアス用穿孔器である。
請求項４の発明は、請求項１乃至３の何れかにおいて、可動体は、本体に設けたリブに案内されて移動することを特徴とするピアス用穿孔器である。
請求項５の発明は、請求項４において、前記リブは、台座に設けられていることを特徴とするピアス用穿孔器である。
請求項６の発明は、請求項１乃至５の何れかにおいて、本体と可動体とのあいだには、係止弾機が所定の発射後姿勢になった以上の可動体の本体に対する相対移動を規制するストッパが設けられていることを特徴とするピアス用穿孔器である。
請求項７の発明は、請求項１乃至６において、係止弾機は、板バネで構成され、他端が貫通孔から直線状にセットされ、可動体の相対移動による弾性変形で湾曲する姿勢となって係止解除姿勢になるように構成されていることを特徴とするピアス用穿孔器である。
請求項８の発明は、請求項１乃至７の何れかにおいて、貫通孔は、係止弾機を射出軸の移動方向前後から係止弾機他端部側に向けて長く挟持していることを特徴とするピアス用穿孔器である。
請求項９の発明は、請求項８において、貫通孔の係止弾機他端部側に向く長い挟持は、貫通孔が、射出軸を案内支持する台座から係止弾機の他端部側に突出して形成されることで行われていることを特徴とするピアス用穿孔器である。
請求項１０の発明は、請求項９において、貫通孔の射出軸移動方向前後の突出長さは、後側の方が長くなっていることを特徴とするピアス用穿孔器である。
【発明の効果】
【０００５】
請求項１の発明とすることにより、射出軸は、射出前姿勢に係止している係止弾機を可動体の移動によって弾性変形させると共に、貫通先端部を貫通孔側下方に移動させることで係止解除されて射出することになる結果、係止弾機は係止解除されるまで可動体によって安定支持された状態になってタイミングの良いピアス針の発射が確実にできるうえ、該係止弾機が復帰弾機に兼用されることになって部品点数も少なく、構造の簡略化も図れることになる。
請求項２の発明とすることにより、係止弾機が貫通孔から抜け出ることがなく、係止弾機の復元力を確実にすることができる。
請求項３の発明とすることにより、発射後姿勢から発射前姿勢方向に復元する際、係止弾機の下端部は、台座６の後面に当たるかその近傍まで確実に復帰することになって、下端部が本体下面板に早期に当たって戻りが不十分になって可動体の戻り不足が発生し、キャッチャが抜け出なくなってしまうことを回避できる。
請求項４の発明とすることにより、可動体は、本体に内嵌されるとともに、リブに下側から支持されており、下方向へのブレを規制されているため、係止弾機の他端部の係止を確実にできる。
請求項５の発明とすることにより、本体との嵌合部とリブとの間隔を広く設定できるため、より確実に係止弾機を他端部に係止することができる。
請求項６の発明とすることにより、可動体の本体に対する必要以上の移動規制ができることになる。
請求項７の発明とすることにより、係止弾機は、射出軸を発射前姿勢に確実に保持できると共に、発射前姿勢から発射後姿勢になるまでの弾性変形の際に、係止弾機が貫通孔を射出軸側に僅かではあるが移動することになって、確りとした射出軸の係止保持状態からの係止解除がなされることになる。
請求項８の発明とすることにより、係止弾機の貫通孔による貫通支持が確実となる。
請求項９の発明とすることにより、係止弾機を長く支持するための貫通孔の構成が簡単になる。
請求項１０の発明とすることにより、貫通孔が突出している分、係止弾機の長さが短くてよいと共に、係止弾機が略直線状となる復帰を確実化できることになる。
【発明を実施するための最良の形態】
【０００６】
次に、本発明の実施の形態について、図面に基づいて説明する。図面において、１はピアス用穿孔器であって、該ピアス用穿孔器１は、初期姿勢においてピアス針２が保持される本体３と、発射されたピアス針２の先端部が嵌入するキャッチャ４を収容する可動体５とを備えて構成されている。
【０００７】
前記本体３は、半割り状のケース体６、７を突き合わせて組み付けることで略矩形状をしたものとして形成されているが、これらケース体６、７は、一方のケース体６に複数形成した組み付け孔６ａに、該組み付け孔６ａに対応するように他方のケース体７に突設した組み付けピン７ａを、嵌入するようになっている点が相違するだけで、後述する他の部分については対称形となっている以外は同じであるので、以降、一方のケース体６について詳述し、他方のケース体７については図面に引き出し符合（アルファベットを同じものにする）を記載するだけとしてその詳細は省略する。また、「前」「後」については、後述するようにピアス針２が発射される方向を前方、その反対方向を後方と便宜上定義して記載することにする。
【０００８】
ケース体６は、上下両面板６ｂ、６ｃと、後面板６ｄと、側面板６ｅとで四方が囲繞され、前面板６ｓは、下半部に突出部６ｆが形成する状態で開口していて、後述するように可動体５をスライド状に組込みできるようになっている。６ｇは上下両面板６ｂ、６ｃのあいだに位置してこれら上下両面板６ｂ、６ｃと平行状に形成される仕切板であって、該仕切板６ｇと上面板６ｂとのあいだに射出軸８を前後方向に案内する案内部６ｈが形成されている。仕切板６ｇの前後方向中間部には貫通孔６ｉが形成されるが、該貫通孔６ｉは、本実施の形態では貫通孔６ｉを前後に挟んで仕切板６ｇから下方に向けて突出する前後支持片６ｊ、６ｋ間に形成され、該支持片６ｊ、６ｋ同志の互いに対向する対向面から上下に間隔を存して齟齬状に形成された突起６ｌ、６ｍの対向間に係止弾機９の上端部（一端部）が前後に貫通挟持される状態の貫通孔６ｉとなって構成されている。
本実施の形態では、前記突起６ｌ、６ｍはそれぞれ２個づつ形成されており、前支持片６ｊの方が後支持片６ｋに比べて突起一個分だけ短くなっている。
【０００９】
前記射出軸８は、前後方向に長く棒状になった前後の小径部８ａ、８ｂと、該小径部８ａ、８ｂ間に鍔状に形成される大径部８ｃとで形成されるが、該大径部８ｃの前側面に、前記貫通孔６ｉを貫通した係止弾機９の貫通先端部９ａが係脱自在に係止することで射出軸８の後方移動が規制されるようになっている。貫通先端部９ａは、射出軸８の後小径部８ａを覆うように上方が開口した形状となっており、貫通孔６ｉを上下移動自在な構成となっている。
そして前記射出軸８は、後側小径部８ｂに遊嵌した射出弾機１０を大径部８ｃの後側面と案内部６ｈの前端面を塞ぐ塞ぎ板１１とのあいだに弾圧状に介装することで後方に向けて弾持されている。
【００１０】
前記案内部６ｈの後端部にはピアス針２を収容する収容室６ｎが仕切り壁６ｏによって形成されているが、係止状態で、該仕切り壁６ｏには、前側小径部８ａの後端が嵌入して該前端の支持をし、かつ後述するように係止弾機９による射出軸８の係止が解除されて、該射出軸８が射出弾機１０の付勢力を受けて射出された際に、射出軸８が前後左右にブレない（位置ズレしない）よう前側小径部８ａを摺動案内する摺動孔６ｐが形成され、そして前記射出された射出軸８は、大径部８ｃが仕切り壁６ｏの後側面に当接してこれ以上射出軸８が後方に移動しないようになっている。
【００１１】
また、前記収容室６ｎには、二つ割状になっていて、針部２ａが突出する状態でピアス針２を挟持状に保持する挟持具１２が収容されており、そして該挟持具１２は、前記射出された射出軸８の後端によって収容室６ｎから発射されると、二つ割れして脱落すると共に、ピアス針２が発射力を受けて耳朶１３に突き刺さって貫通するようになっている。
【００１２】
一方、前記可動体５は、本体突出部６ｆの開口端６ｔ側から嵌入して摺動案内されるスライド部５ａと前記耳朶１３に付き刺さったピアス針２の針部２ａ先端部が軽圧入状に貫通する貫通孔４ａが形成されてピアス針２を抜け止め保持するキャッチャ４を収容するためのキャッチャ保持部５ｂが形成される起立状部５ｃとで略Ｌ字形状に構成されているが、スライド部５ａには、上下一対のスライド突条５ｄ、５ｅが形成され、該スライド突条５ｄ、５ｅが本体３側に形成されるスライド溝６ｑ、６ｒに摺動案内されることでピアス針２を発射する前の発射前姿勢からピアス針２を発射した後の発射後姿勢にスライド移動できるようになっているが、可動体５は、スライド部５ａにおける前後方向中間部位において上方に突出形成した段差状のストッパ部５ｆが本体前面板６ｓに内側から当接することで発射前姿勢から前側に抜け出る方向の移動が規制されるようになっている。また、起立状部５ｃの後側が本体３の突出部６ｆの開口端６ｔに当接して、発射後姿勢以上の後移動を規制するストッパＳが設けられている。そして、可動体５の後端部は、後端側ほど低くなるよう傾斜した傾斜面に構成され、その後端は先鋭状の係止突起５ｇに形成されている。
【００１３】
また、前記係止弾機９には、下端部が後側に向けてフック状（本実施の形態では略レ字形）に折り返されて係止部９ｂが形成され、該係止部９ｂの下端が、本体下面板６ｃに突出形成の台座６ｕに略直線姿勢で上側から当接しており、この姿勢となることで、台座６ｕは、貫通先端部９ａが射出軸８を発射前姿勢に係止保持している姿勢の係止弾機９の抜止めを行うようになっている。そしてこの発射前姿勢で係止突起５ｇの先端が係止弾機９の前面に当接し、これによって可動体５は不用意に発射前姿勢から後方に不用意に移動させようとしたとき、係止弾機９の付勢力を受けることになって該後方移動が規制されていて発射前姿勢に維持されている。因みに、台座６ｕは、貫通孔６ｉの略垂下位置に配置され、略直線状の係止弾機９の係止部９ｂが当接する位置（貫通孔６ｉの略垂下位置）よりもやや前位置に上方に突出したリブ６ｖが形成されており、該リブ６ｖは、前後移動する可動体５のスライド部５ａの下側を摺接して案内支持している。尚、リブ６ｖは、台座６ｕの後方に設けてもよい。さらに、台座６ｕをスライド部５ａの下側と摺接して案内移動可能に形成することもできる。
【００１４】
発射前姿勢で、耳朶１３（被穿孔部位）を起立状部５ｃと後面板６ｓとのあいだに位置させ、手または指の握圧力で可動体５を本体３に対して近づく側に相対移動させると、前記係止部９ｂに係止突起５ｇが係止して係止弾機９を後側に弾性変形させて係止弾機９を貫通孔６ｉから抜き出す方向に強制移動させ、これによって貫通線端部９ａの大径部８ｃに対する係止が解除され、而して射出軸８は係止保持が解除されることになって射出弾機１０の付勢力を受けて射出され、これによって前述したようにピアス針２が発射されて耳朶１３の穿孔をすることになる。そしてこの穿孔後、可動体５から手を離すと、該可動体５は、前記弾性変形した係止弾機９の復元力を受けて発射前姿勢側に移動し、これによってキャッチャ４が可動体５から外れることになって穿孔が終了するようになっている。尚、可動体５の発射前姿勢側への移動（戻り）量は、キャッチャ４が可動体５から外れる量あれば充分であって必ずしも発射前姿勢に戻る必要がなく、本実施の形態では、貫通孔６ｉから抜け出る方向に移動した係止弾機９の係止部９ｂが台座６ｕの後側段差部に当接するまで復帰する設定になっている。
【００１５】
叙述の如く構成された本発明の実施の形態において、発射前姿勢で、耳朶１３が本体前面板６ｓと可動体キャッチャ保持部５ｂとのあいだに位置するようピアス用穿孔器１をセットし（図４（Ａ）参照）、この状態で、可動体５を握圧力により本体３に対して後方に相対移動させると、係止突起５ｆが係止部９ｂに係止する状態となって係止部９ｂは台座６ｕを越えてさらに後方に強制移動させ、これによって係止弾機９は、発射前姿勢の略直線姿勢から後方に湾曲状になって弾性変形すると共に、貫通先端部９ａが貫通孔６ｉから抜け出る方向の下方移動をする。そして、貫通先端部９ａが射出軸大径部８ｃと当接しなくなる所定位置まで下方移動すると射出軸８の係止が解除され（図４（Ｂ）参照）、これにタイミングを合わせて射出軸８が射出弾機１０の付勢を受けて瞬間的に射出され、これによってピアス針２は、前記射出力を受けて挟持具１２と共に収容室６ｎから瞬間的に発射される。そしてピアス針２は、挟持具１２が収容室６ｎから出たことにより二つ割れして脱落することで裸状になって耳朶１３を穿孔する（図５（Ａ）参照）。その前、可動体５から手を離すと、係止弾機９は、前記弾性変形状態からの復元力により可動体５を前方に押し返すことになって本体６から可動体５を遠ざける方向に移動させた復帰後姿勢（図５（Ｂ）参照）になってキャッチャ４を可動体５から離脱させ、穿孔作業が終了する。
【００１６】
このように、本発明が実施されたものでは、係止弾機９は、射出前姿勢から発射後姿勢の直後まで射出軸８の安定した係止を継続できるため、タイミングの良いピアス針２の発射が確実にできるうえ、該射出軸８の係止をする係止弾機９が可動体５の復帰弾機にも兼用されることになって部品点数も少なく、構造の簡略化も図れることになる。
【００１７】
また、可動体５は、前記ピアス針２の発射操作後、ストッパＳを構成する可動体５と本体３とを当接させることで行きすぎ移動が規制されることになると共に、貫通孔６ｉが仕切板６ｇから下方に突出して上下広幅保持をするよう形成されている結果、係止弾機９が貫通孔６ｉから抜け出てしまうことが回避されることになって、可動体５の復帰弾機としての機能を確実に果たすことができる。
【００１８】
また係止弾機９は、貫通孔６ｉから下側に一部が抜け出て、貫通孔６ｉから下側部分の長さが発射前姿勢よりも発射後姿勢の方が長くなったとして、発射前姿勢では本体下面板６ｃから上側に突出する高い台座６ｕに支持されている結果、前記台座６ｕを越えて後方に強制移動した係止部９ｂは、台座６ｕの突出（厚み）分だけ戻り方向の移動にゆとりがあることになって、発射後姿勢から発射前姿勢方向に復元する際、係止部９ｂは、台座６ｕの後面に当たるかその近傍まで確実に復帰することになって、係止部９ｂが本体下面板６ｃに早期に当たって戻りが不十分になって可動体５の戻り不足が発生し、キャッチャ４が抜け出なくなってしまうことを回避できる。
【００１９】
また台座６ｕには上方に突出するリブ６ｖが設けられているが、該リブ６ｖは、可動体係止突起５ｇが下方向へブレて係止部９ｂから不用意に外れてしまうことを規制する支持状態で該係止突起５ｇを案内するため、係止突起５ｇの係止部９ｂへの係止が確実になってピアス針２の発射不良が発生することを回避できる。また、リブ６ｖは、前記スライド溝６ｑ、６ｒと協働して可動体５の前後安定した案内支持ができるため、可動体５のより確実な移動が保障できて係止突起５ｇの係止部９ｂへの係止もさらに確実となる。
【００２０】
さらにまた係止弾機９は、発射前姿勢では、略直線姿勢となっていて係止部９ｂの下端が本体台座６ｕに当接している状態を自然姿勢として本体３に内装されている結果、意図しない力が働いたりして可動体５が前方移動しようとしたとき、その移動に抗する付勢力を発揮することになって可動体５の後方移動が規制され、これによって、真に握圧力を働かせて可動体５を移動させた以外のピアス針２の不用意な発射の防止に寄与できることになる。
【００２１】
また、貫通孔６ｉは、仕切り板６ｇから下方に延出する前後支持片６ｊ、６ｋ同志の対向間隙として上下方向に幅広になる状態で形成されている結果、係止弾機９の保持が確実にできることになって、係止弾機９の発射後姿勢となる下方抜け方向の移動距離を稼き得て、係止弾機９が貫通孔６ｉから簡単に抜けてしまうことを回避できると共に、前記発射後姿勢となって湾曲状に弾性変形している係止弾機９の上端部の抜け止め支持も確実にできることになる。
【００２２】
また、貫通孔６ｉを形成している前後支持片６ｊ、６ｋは、齟齬状になっているため、係止弾機９の貫通孔６ｉへのセットが容易となるが、その場合に、係止弾機貫通先端部９ａの前側が仕切板６ｇによって支持される構成になっているため、貫通先端部９ａの射出軸８を係止するべく仕切板６ｇから突出している弾機部分の長さが短くなり、このため貫通先端部９ａは、強い弾性力での射出軸８の係止保持ができることになって、貫通先端部９ａが射出弾機１０の付勢力に負けて弾性変形して不用意に射出されてしまうことを防止できる。
また、略直線姿勢となる発射後姿勢の係止弾機９の係止部９ｂは、台座６ｕと可動体５の係止突起５ｆにそれぞれ下側と前側とが支持されることにより下方および前方への移動規制がなされる一方、貫通先端部９ａは、貫通孔６ｉから上方に突出していて、射出軸８の大径部８ｃの前側を係止している構成となっており、これによって係止弾機９による射出軸８の発射前姿勢での確実な係止保持がなされる。
【図面の簡単な説明】
【００２３】
【図１】ピアス用穿孔器の分解斜視図である。
【図２】（Ａ）、（Ｂ）、（Ｃ）はそれぞれケース体の正面図、背面図、内側側面図である。
【図３】（Ａ）、（Ｂ）、（Ｃ）、（Ｄ）、（Ｅ）はそれぞれ可動体の正面図、側面図、背面図、平面図、底面図である。
【図４】（Ａ）、（Ｂ）はそれぞれ発射前姿勢、係止解除時姿勢の作用説明図である。
【図５】（Ａ）、（Ｂ）はそれぞれ発射後姿勢、復帰後姿勢の作用説明図である。
【符号の説明】
【００２４】
１      ピアス用穿孔器
２      ピアス針
３      本体
４      キャッチャ
５      可動体
５ａ    スライド部
５ｂ    キャッチャ保持部
５ｇ    係止突起
６      ケース体
６ｃ    下面板
６ｇ    仕切板
６ｈ    案内部
６ｉ    貫通孔
６ｊ、６ｋ    支持片
６ｌ、６ｍ    突起
６ｓ    前面板
６ｔ    開口端
６ｕ      台座
６ｖ    リブ
８      射出軸
８ａ    後側小径部
８ｂ    前側小径部
８ｃ    大径部
９      係止弾機
９ａ    貫通先端
９ｂ    係止部
１０    射出弾機
１３    耳朶
Ｓ      ストッパ
【要約】
【課題】  使い捨てであることを考慮したとき、部品点数は一つでも少ない方が良いという社会的要請に応えるために、部品点数が少なく、構造も容易なコストの安いものとし、さらに、タイミングの良いピアス針２の発射を確実なものとする。
【解決手段】  発射前姿勢で射出軸８を係止すると共に、発射後姿勢で後方に移動した可動体５を復帰移動させる係止弾機９を備え、該係止弾機９を係止する可動体５を後方移動させることで、係止弾機９による射出軸８の係止を解除して耳朶１３への穿孔を行い、穿孔後は、後方に湾曲する係止弾機９の復元力で可動体５を発射前姿勢に復帰させるピアス用穿孔器とした。
【選択図】        図４
【図１】
0003666817.tif 000002
【図２】
0003666817.tif 000003
【図３】
0003666817.tif 000004
【図４】
0003666817.tif 000005
【図５】
0003666817.tif 000006